(57)【要約】【課題】逆潮流電流の検出に対応可能としながら、施工作業を容易に行い得る一時送りブレーカの端子台を提供する。【解決手段】電力供給線が接続される一対の電源接続端子と、中性線が接続される中性線接続端子と、電源接続端子と複数のブレーカの電源入力端子とをそれぞれ接続する接続バーと、中性線接続端子と複数のブレーカの中性線入力端子とを接続する接続バー２５〜２９とを備えた端子台において、電源接続端子及び接続バー２５〜２９を複数のブレーカ毎に電気的に独立して設け、電源接続端子間を接続する接続線を着脱可能とした。【選択図】図２
2014107895.tif 000002
【特許請求の範囲】
【請求項１】
電力供給線が接続される一対の電源接続端子と、
中性線が接続される中性線接続端子と、
前記電源接続端子と複数のブレーカの電源入力端子とをそれぞれ接続する接続バーと、
前記中性線接続端子と複数のブレーカの中性線入力端子とを接続する接続バーと
を備えた端子台において、
前記電源接続端子及び接続バーを前記複数のブレーカ毎に電気的に独立して設け、前記電源接続端子間を接続する接続線を着脱可能としたことを特徴とする端子台。
【請求項２】
請求項１に記載の端子台において、
前記接続線に電流センサを備えたことを特徴とする請求項１記載の端子台。
【請求項３】
請求項１又は２に記載の端子台において、
前記接続線を電線で形成したことを特徴とする端子台。
【請求項４】
請求項１又は２に記載の端子台において、
前記接続線を前記電源接続端子間を電気的に接続可能とした導電バーとしたことを特徴とする端子台。
【請求項５】
請求項１乃至４のいずれか１項に記載の端子台において、
電流センサを備えた接続線を接続するための電流センサ用端子台を前記端子台と別個に設け、前記電流センサ用端子台と前記端子台を接続バーで電気的に接続したことを特徴とする端子台。
【請求項６】
電力供給線が接続される一対の電源接続端子と、
中性線が接続される中性線接続端子と、
前記電源接続端子と複数のブレーカの電源入力端子とをそれぞれ接続する接続バーと、
前記中性線接続端子と複数のブレーカの中性線入力端子とを接続する接続バーと
を備え、
前記電源接続端子及び接続バーを前記複数のブレーカ毎に電気的に独立して設け、前記各ブレーカに対応する電源接続端子間を電気的に未接続とする状態と、前記各ブレーカに対応する電源接続端子間を接続線で電気的に接続する状態と、前記各ブレーカに対応する電源接続端子間を電流センサを備えた接続線で電気的に接続する状態とのいずれかを選択可能としたことを特徴とする端子台システム。
【請求項７】
複数の負荷機器への電源の供給をそれぞれ開閉する分岐ブレーカと、
電源供給線と前記分岐ブレーカとの間に介在され、前記分岐ブレーカへの電源の供給を開閉する主幹ブレーカと、
前記電源供給線に接続され、複数の一次送りブレーカを前記電源供給線に対し一次送り接続する端子台と
を備えた分電盤において、
前記端子台には、
電力供給線が接続される一対の電源接続端子と、
中性線が接続される中性線接続端子と、
前記電源接続端子と前記一次送りブレーカの電源入力端子とをそれぞれ接続する接続バーと、
前記中性線接続端子と前記一次送りブレーカの中性線入力端子とを接続する接続バーと、
前記複数の一次送りブレーカ毎に電気的に独立して設けた前記電源接続端子及び接続バーと、
前記電源接続端子間を着脱可能に接続する接続線と
を備えたことを特徴とする分電盤。
【発明の詳細な説明】
【技術分野】
【０００１】
本発明は、一次送りブレーカを備えた分電盤に関するものである。
【背景技術】
【０００２】
図９は、屋外の電力網と屋内の種々の負荷機器との間に介在される分電盤の一例を示す。分電盤内には多数の分岐ブレーカ１と、主幹ブレーカ２と、例えば２台の一次送りブレーカ３ａ，３ｂが設けられている。
【０００３】
屋外の電力網から供給される商用電源は、第一及び第二の電力供給線４ａ，４ｂと中性線４ｃを介して端子台７に供給され、その端子台７から第一及び第二の電力供給線４ａ，４ｂと中性線４ｃに対応する接続線５ａ〜５ｃを介して主幹ブレーカ２に供給される。そして、主幹ブレーカ２に供給された商用電源が各分岐ブレーカ１を介して負荷機器に供給される。
【０００４】
端子台７には、第一の電力供給線４ａの端部をネジ止め可能とした接続端子６ａと、接続線５ａを接続可能とした接続端子６ｂと、第二の電力供給線４ｂの端部をネジ止め可能とした接続端子６ｃと、接続線５ｂを接続可能とした接続端子６ｄが設けられている。また、端子台７には中性線４ｃの端部を接続可能とした接続端子６ｅと、接続線５ｃを接続可能とした接続端子６ｆが設けられている。
【０００５】
そして、端子台７には導電性を有する金属板で形成される接続バーが複数層設けられ、その接続バーで接続端子６ａ，６ｂが電気的に接続され、接続端子６ｃ，６ｄが電気的に接続され、接続端子６ｅ，６ｆが電気的に接続される。
【０００６】
また、端子台７には、接続端子６ａ，６ｂを一次送りブレーカ３ａ，３ｂの入力端子に電気的に接続する接続バーと、接続端子６ｃ，６ｄを一次送りブレーカ３ａ，３ｂの出力端子に電気的に接続する接続バーと、接続端子６ｅ，６ｆを一次送りブレーカ３ａ，３ｂの中性線端子に電気的に接続する接続バーが設けられている。
【０００７】
また、端子台７の一次送りブレーカ３ａ，３ｂとの接続端面には、一次送りブレーカ３ａ，３ｂに電気的に接続可能とした端子部が設けられ、その端子部に一次送りブレーカ３ａ，３ｂの端子部を嵌合することにより、端子台７と一次送りブレーカ３ａ，３ｂが電気的に接続される（特許文献１参照）。
【０００８】
このような構成により、端子台７に一次送りブレーカ３ａ，３ｂを取着すると、一次送りブレーカ３ａ，３ｂを第一及び第二の電力供給線４ａ，４ｂ及び中性線４ｃに容易に接続可能であるとともに、主幹ブレーカ２が端子台７を介して第一及び第二の電力供給線４ａ，４ｂ及び中性線４ｃに接続される。
【０００９】
上記のような分電盤は、第一及び第二の電力供給線４ａ，４ｂに供給される商用電源が、端子台７、主幹ブレーカ２及び各分岐ブレーカ１を介して各種の負荷機器に供給される。そして、各分岐ブレーカ１に接続される負荷機器に異常電流が流れると、各分岐ブレーカ１あるいは主幹ブレーカ２が非導通状態となって、当該負荷機器への電源の供給が遮断される。
【００１０】
一次送りブレーカ３ａ，３ｂには、例えば火災報知機等の住宅情報盤等、主幹ブレーカ２が非導通状態となっても電源を供給し続ける必要がある負荷機器や、給湯器のように比較的に消費電力が大きい負荷機器が接続される。
【００１１】
近年、一般家庭で太陽光発電装置を備え、その太陽光発電装置から電力会社の電力網に対し電力を供給する電力買取システムが具体化されている。また、太陽光発電装置と、未だ電力買取が未実施の発電・蓄電装置が合わせて設置される場合も増加している。このような場合、買取が実施されている太陽光発電装置からの電流と、買取が未実施の発電・蓄電装置からの電流を区別し、且つ制御する必要があるため、各発電装置は、分電盤の一次送りブレーカを介して電力網に接続され、電流センサが一次側に設けられる。
【００１２】
図１０は、一次送りブレーカ８ａ，８ｂ間に電流センサ９ａ，９ｂを接続するようにした分電盤の一例を示す。
屋外の電力網から供給される商用電源は、第一及び第二の電力供給線４ａ，４ｂと中性線４ｃを介して一次送りブレーカ８ａの接続端子１０ａ〜１０ｃに供給される。また、各接続端子１０ａ〜１０ｃはそれぞれ接続線１１ａ〜１１ｃを介して一次送りブレーカ８ｂの接続端子１２ａ〜１２ｃに接続されて一次送りブレーカ８ａに対し一次送りブレーカ８ｂが並列に接続される。
【００１３】
一次送りブレーカ８ｂの接続端子１２ａ〜１２ｃは、それぞれ接続線１３ａ〜１３ｃを介して主幹ブレーカ２に接続されて、商用電源が主幹ブレーカ２及び分岐ブレーカ１を介して多数の負荷機器に供給される。
【００１４】
そして、一次送りブレーカ８ａ，８ｂには発電装置あるいは上記のような住宅情報盤が接続される。
また、一次送りブレーカ８ａ，８ｂ間の接続線１１ａ，１１ｃには電流センサ９ａ，９ｂがそれぞれ装着され、その電流センサ９ａ，９ｂで発電装置から電力網に流れる逆潮流電流を検出して、逆潮流電流を適宜に制御するようになっている。
【先行技術文献】
【特許文献】
【００１５】
【特許文献１】特開２０１０−２７９１０４号公報
【発明の概要】
【発明が解決しようとする課題】
【００１６】
上記のように逆潮流電流を制御する機能を分電盤に備えるには、図９の分電盤では接続端子６ａから商用電源が供給される一次送りブレーカ３ａ，３ｂの端子間に電流センサを設ける必要がある。同様に、接続端子６ｃから商用電源が供給される一次送りブレーカ３ａ，３ｂの端子間も電流センサを設ける必要がある。
【００１７】
ところが、接続端子６ａから商用電源が供給される一次送りブレーカ３ａ，３ｂの端子は、端子台７の端子バーでそれぞれ電気的に接続されているため、これらの端子間に電流センサを設けることはできない。
【００１８】
従って、電流センサにより逆潮流電流を制御する機能を備えた分電盤を構成することはできない。
図１０に示す分電盤では、一次送りブレーカ８ａ，８ｂ間に電流センサ９ａ，９ｂを設けることはできるが、直径８ｍｍ〜１４ｍｍといった太い電線を使用した接続線１１ａ〜１１ｃ及び接続線１３ａ〜１３ｃが密集する位置で電流センサを配設する必要がある。
【００１９】
また、接続端子１０ａ〜１０ｃの各ネジでそれぞれ２本ずつの電線の端部を共締めする必要がある。従って、施工作業が煩雑となるという問題点がある。
さらに、太い電線を使用した接続線１１ａ〜１１ｃ及び接続線１３ａ〜１３ｃは屈曲し難いため、一次送りブレーカ３ａ，３ｂ間には若干の間隔を確保する必要がある。すると、図１１に示すように、さらに多数の一次送りブレーカ３ａ〜３ｄを電力供給線４ａ，４ｂと主幹ブレーカ２との間で並列に接続する必要がある場合には、各一次送りブレーカ３ａ〜３ｄ間に所要の間隔ｃをそれぞれ確保する必要があることから、分電盤の横方向の寸法が増大する。従って、屋内の限られたスペースに分電盤を設置することが困難となる場合がある。
【００２０】
この発明はこのような事情に鑑みてなされたものであり、その目的は逆潮流電流の検出に対応可能としながら、施工作業を容易に行い得る一時送りブレーカの端子台を提供することにある。
【課題を解決するための手段】
【００２１】
上記課題を解決する端子台は、電力供給線が接続される一対の電源接続端子と、中性線が接続される中性線接続端子と、前記電源接続端子と複数のブレーカの電源入力端子とをそれぞれ接続する接続バーと、前記中性線接続端子と複数のブレーカの中性線入力端子とを接続する接続バーとを備えた端子台において、前記電源接続端子及び接続バーを前記複数のブレーカ毎に電気的に独立して設け、前記電源接続端子間を接続する接続線を着脱可能としたことを特徴とする。
【００２２】
また、上記構成において、前記接続線に電流センサを備えることが好ましい。
また、上記構成において、前記接続線を電線で形成することが好ましい。
また、上記構成において、前記接続線を前記電源接続端子間を電気的に接続可能とした導電バーとすることが好ましい。
【００２３】
また、上記構成において、前記電流センサを備えた接続線を接続するための電流センサ用端子台を前記端子台と別個に設け、前記電流センサ用端子台と前記端子台を接続バーで電気的に接続することが好ましい。
【００２４】
上記課題を解決する端子台システムは、電力供給線が接続される一対の電源接続端子と、中性線が接続される中性線接続端子と、前記電源接続端子と複数のブレーカの電源入力端子とをそれぞれ接続する接続バーと、前記中性線接続端子と複数のブレーカの中性線入力端子とを接続する接続バーとを備え、前記電源接続端子及び接続バーを前記複数のブレーカ毎に電気的に独立して設け、前記各ブレーカに対応する電源接続端子間を電気的に未接続とする状態と、前記各ブレーカに対応する電源接続端子間を接続線で電気的に接続する状態と、前記各ブレーカに対応する電源接続端子間を電流センサを備えた接続線で電気的に接続する状態とのいずれかを選択可能とすることを特徴とする。
【００２５】
上記課題を解決する分電盤は、複数の負荷回路への電源電圧の供給をそれぞれ開閉する分岐ブレーカと、電源供給線と前記分岐ブレーカとの間に介在され、前記分岐ブレーカへの電源電圧の供給を開閉する主幹ブレーカと、前記電源供給線に接続され、複数の一次送りブレーカを前記電源供給線に対し一次送り接続する端子台とを備えた分電盤において、前記端子台には、電力供給線が接続される一対の電源接続端子と、中性線が接続される中性線接続端子と、前記電源接続端子と前記一次送りブレーカの電源入力端子とをそれぞれ接続する接続バーと、前記中性線接続端子と前記一次送りブレーカの中性線入力端子とを接続する接続バーと、前記複数の一次送りブレーカ毎に電気的に独立して設けた前記電源接続端子及び接続バーと、前記電源接続端子間を着脱可能に接続する接続線とを備えることを特徴とする
【発明の効果】
【００２６】
本発明によれば、逆潮流電流の検出に対応可能としながら、施工作業を容易に行うことができる。
【図面の簡単な説明】
【００２７】
【図１】一実施形態の分電盤を示す正面図である。
【図２】（ａ）（ｂ）は端子台の端子バーを示す説明図である。
【図３】端子台の端子バーを示す斜視図である。
【図４】一次送りブレーカの端子台との接続端面を示す正面図である。
【図５】（ａ）（ｂ）（ｃ）は端子台の等価回路図である。
【図６】第二の実施形態の分電盤を示す正面図である。
【図７】第三の実施形態の分電盤を示す正面図である。
【図８】第四の実施形態の分電盤を示す正面図である。
【図９】従来の分電盤を示す正面図である。
【図１０】従来の分電盤を示す正面図である。
【図１１】従来の分電盤を示す正面図である。
【発明を実施するための形態】
【００２８】
（第一の実施形態）
以下、一次送りブレーカの端子台の第一の実施形態を図１〜図５に従って説明する。図９に示す従来例と同一構成部分は、同一符号を付して説明する。
【００２９】
図１に示す分電盤２１内には、端子台２２を備えた２台の一次送りブレーカ２３ａ，２３ｂと、主幹ブレーカ２及び分岐ブレーカ１が設けられている。
屋外の電力網から供給される商用電源は、第一及び第二の電力供給線４ａ，４ｂと中性線４ｃを介して端子台２２に供給され、その端子台２２から第一及び第二の電力供給線４ａ，４ｂと中性線４ｃに対応する接続線５ａ〜５ｃを介して主幹ブレーカ２に供給される。そして、主幹ブレーカ２に供給された商用電源が各分岐ブレーカ１を介して負荷機器に供給される。
【００３０】
端子台２２には、第一の電力供給線４ａの端部をネジ止め可能とした接続端子（電源接続端子）２４ａと、接続線５ａを接続可能とした接続端子２４ｂと、第二の電力供給線４ｂの端部をネジ止め可能とした接続端子（電源接続端子）２４ｃと、接続線５ｂを接続可能とした接続端子２４ｄが設けられている。また、端子台２２には中性線４ｃの端部を接続可能とした接続端子（中性線接続端子）２４ｅと、接続線５ｃを接続可能とした接続端子２４ｆが設けられている。
【００３１】
前記端子台２２には、前記接続端子２４ａ〜２４ｆに電気的に接続される接続バーが図１において紙面に直交する方向に３層に亘って設けられ、各接続バーが各一次送りブレーカ２３ａ，２３ｂの接続端面に設けられる３層の接続部にそれぞれ嵌合されて電気的に接続される。
【００３２】
次に、前記端子台２２に設けられる接続バーと、一次送りブレーカ２３ａ，２３ｂの３層の接続部の具体的構成を説明する。
図２及び図３に示すように、前記端子台２２には前記接続端子２４ａ〜２４ｆにそれぞれ接続される第一〜第五の接続バー２５〜２９が備えられ、第一〜第五の接続バー２５〜２９は導電性を有する板状の金属板で形成される。
【００３３】
前記第一の接続バー２５は、端子台２２に３層設けられる端子層の中間層であるＬ１層に配設され、その先端に設けられたネジ挿通孔２５ａに図１に示すネジ３０ａを挿通することにより前記接続端子２４ａに電気的に接続されている。第一の接続バー２５の基端部２５ｂは端子台２２の一次送りブレーカ２３ａとの接続端面までＬ１層で延設されている。
【００３４】
前記第二の接続バー２６は、クランク状に屈曲されて、ネジ挿通孔２６ａが形成された先端部が端子台２２に３層設けられる端子層の下層であるＬ２層に位置し、基端部２６ｂは端子台２２の一次送りブレーカ２３ｂとの接続端面までＬ１層で延設されている。そして、ネジ挿通孔２６ａに図１に示すネジ３０ｂを挿通することにより前記接続端子２４ｂに電気的に接続されている。第一及び第二の接続バー２５，２６は、互いに電気的に接続されないように所定の間隔を隔ててＬ１層に配設されている。
【００３５】
前記第三の接続バー２７は、クランク状に屈曲されて、ネジ挿通孔２７ａが形成された先端部が端子台２２の中間層であるＬ１層に位置し、基端部２７ｂは端子台２２の一次送りブレーカ２３ｂとの接続端面までＬ２層で延設されている。そして、ネジ挿通孔２７ａに図１に示すネジ３０ｃを挿通することにより前記接続端子２４ｃに電気的に接続されている。
【００３６】
前記第四の接続バー２８は、端子台２２の下層であるＬ２層に配設され、その先端に設けられたネジ挿通孔２８ａに図１に示すネジ３０ｄを挿通することにより前記接続端子２４ｄに電気的に接続されている。第四の接続バー２８の基端部２８ｂは端子台２２の一次送りブレーカ２３ａとの接続端面までＬ２層で延設されている。第三及び第四の接続バー２７，２８は、互いに電気的に接続されないように所定の間隔を隔ててＬ２層に配設されている。
【００３７】
第五の接続バー２９は、ネジ挿通孔２９ａが形成された先端部がＬ２層に位置し、ネジ挿通孔２９ｂが形成された中間部がＬ１層に位置し、基端部２９ｃがＮ層に位置するように屈曲されている。そして、基端部２９ｃが端子台２２の一次送りブレーカ２３ａ，２３ｂとの接続端面までＮ層で延設されている。
【００３８】
また、ネジ挿通孔２９ａ，２９ｂは端子台２２の接続端子２４ｅ，２４ｆに挿通されるネジ３０ｅ，３０ｆを挿通可能とする位置に形成され、ネジ３０ｅ，３０ｆを挿通することにより、接続端子２４ｅ，２４ｆに電気的に接続される。
【００３９】
図４は、前記端子台２２の接続端面に対向する一次送りブレーカ２３ａ，２３ｂの接続端面である。同図に示すように、各一次送りブレーカ２３ａ，２３ｂの接続端面には端子台２２の第一〜第五の接続バー２５〜２９を嵌合して第一〜第五の接続バー２５〜２９とそれぞれ電気的に接続可能とした接続端子３１ａ〜３１ｆが形成されている。接続端子３１ａ〜３１ｆは、第一〜第五の接続バー２５〜２９に対応して３層構造である。
【００４０】
一次送りブレーカ３ａには、第一の接続バー２５の基端部２５ｂを嵌合可能とした接続端子（電源入力端子）３１ａと、第三の接続バー２７の基端部２７ｂを嵌合可能とした接続端子（電源入力端子）３１ｂと、第五の接続バー２９の基端部２９ｃを嵌合可能とした接続端子（中性線入力端子）３１ｃが設けられている。
【００４１】
一次送りブレーカ３ｂには、第二の接続バー２６の基端部２６ｂを嵌合可能とした接続端子（電源入力端子）３１ｄと、第四の接続バー２８の基端部２８ｂを嵌合可能とした接続端子（電源入力端子）３１ｅと、第五の接続バー２９の基端部２９ｃを嵌合可能とした接続端子（中性線入力端子）３１ｆが設けられている。
【００４２】
前記一次送りブレーカ２３ａの二次側端子３２ａ〜３２ｃには、上記のような負荷機器あるいは発電装置が接続され、前記一次送りブレーカ２３ｂの二次側端子３２ｄ〜３２ｆにも、同様な負荷機器あるいは発電装置が接続される。なお、各一次送りブレーカ２３ａ，２３ｂの二次側端子のうち、中央に位置する端子３２ｂ，３２ｅは、前記中性線４ｃに接続される第五の接続バー２９に接続可能とした端子である。
【００４３】
次に、上記のように構成された端子台２２の作用を説明する。
図１に示すように、接続端子２４ａ，２４ｂと、接続端子２４ｃ，２４ｄとをそれぞれ電流センサ５０ａ，５０ｂを備えた接続線３３ａ，３３ｂで接続した場合の等価回路を図５（ａ）に示す。なお、図５（ａ）では中性線の記載を省略している。この状態では、図１０に示す従来例と等価回路的に同等となる。なお、接続線３３ａ，３３ｂは、適宜に屈曲した金属棒（導電バー）とすることもできる。
【００４４】
このような構成では、一次送りブレーカ２３ａに電力の買取が実施されている発電装置を接続可能であり、一次送りブレーカ２３ｂに電力の買取が未実施の発電・蓄電装置を接続可能となる。
【００４５】
端子台２２の接続端子２４ａ，２４ｂ及び同２４ｃ，２４ｄを通常の接続線で接続した場合の等価回路を図５（ｂ）に示す。この場合には、一次送りブレーカ２３ａ，２３ｂに通常の一次送り配線で商用電源が供給され、住宅情報機器等の負荷機器をそれぞれ接続可能である。
【００４６】
図５（ｃ）は、端子台２２の接続端子２４ａ，２４ｂと同２４ｃ，２４ｄを未接続とし、接続端子２４ａと同２４ｅを主幹ブレーカ２に接続した場合の等価回路を示す。
この状態では、一次送りブレーカ２３ａは住宅情報機器等の負荷機器を一次送り配線で接続することができるとともに、一次送りブレーカ２３ｂを一次送りブレーカ２３ａとは独立したブレーカとして使用可能となる。
【００４７】
従って、例えば直流電流を供給する直流電源と、直流電流の供給に基づいて動作する直流負荷機器との間に一次送りブレーカ２３ｂを介在させて、一次送りブレーカ２３ｂを直流電流を開閉する独立したブレーカとして使用することも可能となる。
【００４８】
本実施形態によれば、以下の効果を得ることができる。
（１）端子台２２の接続端子２４ａ，２４ｂと同２４ｃ，２４ｄとの間に電流センサ５０ａ，５０ｂを介在させることにより、一次送りブレーカ２３ａ，２３ｂ間に電流センサ５０ａ，５０ｂを介在させることができる。従って、一次送りブレーカ２３ｂに電力買取未実施の発電装置を取着した場合に、逆潮流電流を検出することができる。
（２）一次送りブレーカ２３ａ，２３ｂ間の一次送り配線を第一〜第五の接続バー２５〜２９で配線することができる。従って、一次送りブレーカ２３ａ，２３ｂ間での接続線の密集を緩和することができるので、一次送りブレーカ２３ａ，２３ｂの設置間隔を小さくすることができる。
（３）一次送りブレーカ２３ａ，２３ｂ間に電流センサ５０ａ，５０ｂを介在させる場合、端子台２２の接続端子２４ａ，２４ｂ間及び同２４ｃ，２４ｄ間に、電流センサ５０ａ，５０ｂを備えた接続線３３ａ，３３ｂを接続すればよい。従って、図１０に示す従来例のように、一次送りブレーカ８ａ，８ｂ間で接続線１１ａ〜１１ｃが密集する位置で電流センサ９ａ，９ｂを配設する必要がないので、電流センサの設置作業を容易に行うことができる。
（４）端子台２２の接続端子２４ａ，２４ｂと同２４ｃ，２４ｄとの間を、通常の接続線で接続すると、一次送りブレーカ２３ａ，２３ｂを通常の一次送り配線で接続することができる。
（５）端子台２２の接続端子２４ａ，２４ｂとの間を未接続とし、接続端子２４ｃ，２４ｄとの間を未接続とすると、一次送りブレーカ２３ａ，２３ｂのいずれか一方を独立したブレーカとして使用することができる。従って、独立したブレーカを商用電源のブレーカとは独立した直流電流用のブレーカとして使用することができる。
（第二の実施形態）
図６は、第二の実施形態を示す。この実施形態は、第一の実施形態の構成に電流センサを設置するための電流センサ用端子台を別途備え、前記端子台２２と電流センサ用端子台とを接続バーで電気的に接続したものである。第一の実施形態と同一構成部分は、同一符号を付して説明する。
【００４９】
電流センサ用端子台３８は、接続端子３４ａが端子台２２の接続端子２４ａに接続バー３５ａを介して接続され、接続端子３４ｂが端子台２２の接続端子２４ｂに接続バー３５ｂを介して接続されている。また、接続端子３４ｃが端子台２２の接続端子２４ｃに接続バー３５ｃを介して接続され、接続端子３４ｄが端子台２２の接続端子２４ｄに接続バー３５ｄを介して接続されている。
【００５０】
そして、接続端子３４ａ，３４ｂを電流センサ３６ａを備えた接続線３７ａで接続可能であり、接続端子３４ｃ，３４ｄを電流センサ３６ｂを備えた接続線３７ｂで接続可能である。その他の構成は、端子台２２の構成を含めて前記第一の実施形態と同様である。
【００５１】
このように電流センサ用端子台３８と端子台２２を接続し、且つ電流センサ３６ａ，３６ｂを接続した状態では、第一の実施形態で電流センサ５０ａ，５０ｂを接続した状態と等価となる。
【００５２】
また、接続端子３４ａ，３４ｂと同３４ｃ，３４ｄを通常の接続線で接続すると、一次送りブレーカ２３ａ，２３ｂを通常の一次送り配線で接続することが可能であり、接続端子３４ａ，３４ｂと同３４ｃ，３４ｄを未接続とすれば、一次送りブレーカ２３ａ，２３ｂを互いに接続されない独立したブレーカとして使用可能である。
【００５３】
本実施形態によれば、第一の実施形態で得られた効果に加えて、以下の効果を得ることができる。
（１）電流センサ３６ａ，３６ｂを備えた接続線３７ａ，３７ｂを接続するための専用の電流センサ用端子台３８を備えたので、一次送りブレーカ２３ａ，２３ｂと主幹ブレーカ２とを接続する接続線と、電流センサ３６ａ，３６ｂを接続するための接続線３７ａ，３７ｂとの干渉を防止して、施工性を向上させることができる。
（第三の実施形態）
図７は、第三の実施形態を示す。この実施形態は、３台の一次送りブレーカ２８ａ〜２８ｃに一次送り配線するために、その一次送りブレーカ２８ａ〜２８ｃに対応する電流センサ用端子台３９ａ，３９ｂを備えたものである。第二の実施形態と同一構成部分は、同一符号を付して説明する。
【００５４】
一次送りブレーカ２３ａ，２３ｂは端子台２２ａに接続され、一次送りブレーカ２３ｃは端子台２２ｂに接続される。端子台２２ａ，２２ｂは、第一及び第二の実施形態の端子台２２と同様な構成である。
【００５５】
電流センサ用端子台３９ａ，３９ｂは、接続バー４１ａ〜４１ｆを介して端子台２２ａ，２２ｂに接続され、各一次送りブレーカ２３ａ〜２３ｃと主幹ブレーカ２は、第一及び第二の電力供給線４ａ，４ｂと中性線４ｃに対し並列に接続される。
【００５６】
そして、電流センサ用端子台３９ａの接続端子４０ａ，４０ｂ間に電流センサ４２ａが接続され、接続端子４０ｂ，４０ｃ間に電流センサ４２ｂが接続されている。接続端子４０ｃ，４０ｄ間は通常の接続線４３ａで接続されている。
【００５７】
また、電流センサ用端子台３９ｂの接続端子４０ｅ，４０ｆ間に電流センサ４２ｃが接続され、接続端子４０ｆ，４０ｇ間に電流センサ４２ｄが接続されている。接続端子４０ｇ，４０ｈ間は通常の接続線４３ｂで接続されている。
【００５８】
このような構成により、各一次送りブレーカ２３ａ〜２３ｃは第一及び第二の電力供給線４ａ，４ｂと中性線４ｃに対し並列に接続されるとともに、一次送りブレーカ２３ａ，２３ｂ間及び２３ｂ，２３ｃ間には電流センサ４２ａ〜４２ｄが配設されている。
【００５９】
このような構成により、図１０に示す従来例の分電盤の一次送りブレーカを３台とした場合と回路的に等価となる。
本実施形態によれば、第二の実施形態で得られた効果に加えて、以下の効果を得ることができる。
（１）電流センサ４２ａ〜４２ｄを備えた接続線を接続するための専用の電流センサ用端子台３９ａ，３９ｂを備えたので、一次送りブレーカ２３ａ〜２３ｃと主幹ブレーカ２とを接続する接続線と、電流センサ４２ａ〜４２ｄを配設するための接続線との干渉を防止して、施工性を向上させることができる。また、各一次送りブレーカ２３ａ〜２３ｃ間での接続線の密集を防止することができるので、各一次送りブレーカ２３ａ〜２３ｃの間隔を小さくして、分電盤の小型化を図ることができる。
（第四の実施形態）
図８は、第四の実施形態を示す。この実施形態は、４台の一次送りブレーカ２３ａ〜２３ｄに一次送り配線するために、その一次送りブレーカ２３ａ〜２３ｄに対応する電流センサ用端子台３９ａ，３９ｂを備えたものである。第三の実施形態と同一構成部分は、同一符号を付して説明する。
【００６０】
一次送りブレーカ２３ａ，２３ｂは端子台２２ａに接続され、一次送りブレーカ２３ｃ，２３ｄは端子台２２ｂに接続される。端子台２２ａ，２２ｂは、第一及び第二の実施形態の端子台２２と同様な構成である。
【００６１】
電流センサ用端子台３９ａ，３９ｂは、接続バー４５ａ〜４５ｈを介して端子台２２ａ，２２ｂに接続され、各一次送りブレーカ２３ａ〜２３ｄと主幹ブレーカ２は、第一及び第二の電力供給線４ａ，４ｂと中性線４ｃに対し並列に接続される。
【００６２】
そして、電流センサ用端子台３９ａ，３９ｂの接続端子４０ａ，４０ｂ間に電流センサ４６ａが接続され、接続端子４０ｂ，４０ｃ間に電流センサ４６ｂが接続され、接続端子４０ｃ，４０ｄ間に電流センサ４６ｃが接続されている。
【００６３】
また、電流センサ用端子台３９ａ，３９ｂの接続端子４０ｅ，４０ｆ間に電流センサ４６ｄが接続され、接続端子４０ｆ，４０ｇ間に電流センサ４６ｅが接続され、接続端子４０ｇ，４０ｈ間に電流センサ４６ｆが接続されている。
【００６４】
このような構成により、各一次送りブレーカ２３ａ〜２３ｄは第一及び第二の電力供給線４ａ，４ｂと中性線４ｃに対し並列に接続されるとともに、一次送りブレーカ２３ａ，２３ｂ間と、一次送りブレーカ２３ｂ，２３ｃ間と、一次送りブレーカ２３ｃ，２３ｄ間にはそれぞれ電流センサ４６ａ〜４６ｆが配設されている。
【００６５】
このような構成により、図１１に示す従来例の分電盤と回路的に等価となる。
本実施形態によれば、４台の一次送りブレーカ２３ａ〜２３ｄを備えた分電盤において、第三の実施形態と同様な効果を得ることができる。
【００６６】
なお、上記実施形態は以下のように変更してもよい。
・第三及び第四の実施形態において、端子台２２ａ，２２ｂ及び電流センサ用端子台３９ａ，３９ｂをいったいの端子台としてもよい。
【符号の説明】
【００６７】
１…分岐ブレーカ、２…主幹ブレーカ、４ａ，４ｂ…電力供給線、４ｃ…中性線、２２，２２ａ，２２ｂ…端子台、２３ａ〜２３ｄ…一次送りブレーカ、２４ａ，２４ｃ…電源接続端子、２４ｅ…中性線接続端子、２５〜２９…接続バー、３１ａ，３１ｂ，３１ｄ，３１ｅ…電源入力端子、３１ｃ，３１ｆ…中性線入力端子、３８，３９ａ，３９ｂ…電流センサ用端子台、５０ａ，５０ｂ，３６ａ，３６ｂ，４２ａ〜４２ｄ，４６ａ〜４６ｆ…電流センサ。
【図１】
2014107895.tif 000003
【図２】
2014107895.tif 000004
【図３】
2014107895.tif 000005
【図４】
2014107895.tif 000006
【図５】
2014107895.tif 000007
【図６】
2014107895.tif 000008
【図７】
2014107895.tif 000009
【図８】
2014107895.tif 000010
【図９】
2014107895.tif 000011
【図１０】
2014107895.tif 000012
【図１１】
2014107895.tif 000013